(57)【要約】【課題】積み重ね状態の安定化を図ることができる断熱容器を提供する。【解決手段】断熱容器１は、上面開口２を有する断熱二重構造の容器本体３と、容器本体３の上面開口２を開閉する脱着可能な断熱二重構造の蓋体４とを備える。容器本体３の底面部には、環状凸部１１を形成する。蓋体４の上面部には、容器本体３の環状凸部１１の内側に嵌合可能な形状の環状凸部３１を形成する。蓋体４の下面部には、蓋体４の環状凸部３１の内側に嵌合可能な形状の凸部４０を形成する。【選択図】        図１
2004337518.tif 000002
【特許請求の範囲】
【請求項１】
上面開口を有する断熱二重構造の容器本体と、
この容器本体の前記上面開口を開閉する脱着可能な断熱二重構造の蓋体とを備え、
前記容器本体の底面部には、環状凸部が形成され、
前記蓋体の上面部には、前記容器本体の前記環状凸部の内側に嵌合可能な形状の環状凸部が形成され、
前記蓋体の下面部には、前記蓋体の前記環状凸部の内側に嵌合可能な形状の凸部が形成され、
前記蓋体にて前記容器本体の前記上面開口が閉じられた状態の断熱容器同士が積み重ねられる場合には、一の前記断熱容器の前記容器本体の前記環状凸部の内側に他の前記断熱容器の前記蓋体の前記環状凸部が嵌め合わされ、
前記容器本体から取り外された状態の前記蓋体同士が積み重ねられる場合には、一の前記蓋体の前記環状凸部の内側に他の前記蓋体の前記凸部が嵌め合わされる
ことを特徴とする断熱容器。
【請求項２】
容器本体の環状凸部には、この環状凸部の内側に水が溜まらないようにするための水切溝が形成されている
ことを特徴とする請求項１記載の断熱容器。
【請求項３】
容器本体の水切溝は、環状凸部の数ヶ所において狭巾かつ斜めに横断するように形成されている
ことを特徴とする請求項２記載の断熱容器。
【請求項４】
蓋体の環状凸部には、この環状凸部の内側に水が溜まらないようにするための水切溝が形成されている
ことを特徴とする請求項１ないし３のいずれか一記載の断熱容器。
【請求項５】
蓋体の水切溝は、環状凸部の数ヶ所において狭巾かつ斜めに横断するように形成されている
ことを特徴とする請求項１ないし４のいずれか一記載の断熱容器。
【発明の詳細な説明】
【０００１】
【発明の属する技術分野】
本発明は、積み重ね状態の安定化を図ることができる断熱容器に関する。
【０００２】
【従来の技術】
従来、例えば上面開口を有する断熱二重構造の容器本体と、容器本体の上面開口を開閉する脱着可能な断面二重構造の蓋体とを備え、容器本体の底面部に４つの脚部およびクロス状の凸部をプレス成形により形成した断熱容器（金属製保温容器）が知られている（例えば、特許文献１参照。）。
【０００３】
【特許文献１】
特開２００１−２３８８０４号公報（第４頁、図２）
【０００４】
【発明が解決しようとする課題】
しかしながら、上記従来の断熱容器では、例えば、蓋体にて容器本体の上面開口が閉じられた状態の断熱容器同士が積み重ねられる場合や、容器本体から取り外された状態の蓋体同士が積み重ねられる場合に、その積み重ね状態が不安定となるおそれがある。
【０００５】
本発明は、このような点に鑑みなされたもので、積み重ね状態の安定化を図ることができる断熱容器を提供することを目的とする。
【０００６】
【課題を解決するための手段】
請求項１記載の断熱容器は、上面開口を有する断熱二重構造の容器本体と、この容器本体の前記上面開口を開閉する脱着可能な断熱二重構造の蓋体とを備え、前記容器本体の底面部には、環状凸部が形成され、前記蓋体の上面部には、前記容器本体の前記環状凸部の内側に嵌合可能な形状の環状凸部が形成され、前記蓋体の下面部には、前記蓋体の前記環状凸部の内側に嵌合可能な形状の凸部が形成され、前記蓋体にて前記容器本体の前記上面開口が閉じられた状態の断熱容器同士が積み重ねられる場合には、一の前記断熱容器の前記容器本体の前記環状凸部の内側に他の前記断熱容器の前記蓋体の前記環状凸部が嵌め合わされ、前記容器本体から取り外された状態の前記蓋体同士が積み重ねられる場合には、一の前記蓋体の前記環状凸部の内側に他の前記蓋体の前記凸部が嵌め合わされるものである。
【０００７】
そして、蓋体にて容器本体の上面開口が閉じられた状態の断熱容器同士が積み重ねられる場合には、一の断熱容器の容器本体の環状凸部の内側に他の断熱容器の蓋体の環状凸部が嵌め合わされ、容器本体から取り外された状態の蓋体同士が積み重ねられる場合には、一の蓋体の環状凸部の内側に他の蓋体の凸部が嵌め合わされるため、積み重ね状態の安定化が図られる。
【０００８】
請求項２記載の断熱容器は、請求項１記載の断熱容器において、容器本体の環状凸部には、この環状凸部の内側に水が溜まらないようにするための水切溝が形成されているものである。
【０００９】
そして、容器本体の環状凸部には、この環状凸部の内側に水が溜まらないようにするための水切溝が形成されているため、洗浄時等に容器本体の底面部を上にする場合においても環状凸部の内側に水が溜まるようなことがない。
【００１０】
請求項３記載の断熱容器は、請求項２記載の断熱容器において、容器本体の水切溝は、環状凸部の数ヶ所において狭巾かつ斜めに横断するように形成されているものである。
【００１１】
そして、水切溝が環状凸部の数ヶ所において狭巾かつ斜めに横断するように形成されているため、ローラコンベヤによる搬送の際のがたつきが適切に防止される。
【００１２】
請求項４記載の断熱容器は、請求項１ないし３のいずれか一記載の断熱容器において、蓋体の環状凸部には、この環状凸部の内側に水が溜まらないようにするための水切溝が形成されているものである。
【００１３】
そして、蓋体の環状凸部には、この環状凸部の内側に水が溜まらないようにするための水切溝が形成されているため、洗浄時等に蓋体の環状凸部の内側に水が溜まるようなことがない。
【００１４】
請求項５記載の断熱容器は、請求項１ないし４のいずれか一記載の断熱容器において、蓋体の水切溝は、環状凸部の数ヶ所において狭巾かつ斜めに横断するように形成されているものである。
【００１５】
そして、水切溝が環状凸部の数ヶ所において狭巾かつ斜めに横断するように形成されているため、ローラコンベヤによる搬送の際のがたつきが適切に防止される。
【００１６】
【発明の実施の形態】
以下、本発明の断熱容器の一実施の形態の構成を図面を参照して説明する。
【００１７】
図１において、１は断熱容器で、この断熱容器１は、例えば給食センターで調理された食品（焼物、揚物、サラダ等）を収容するステンレス製の角型二重食缶（断熱食缶）である。
【００１８】
この断熱容器１は、上面開口２を有する断熱二重構造の容器本体３と、この容器本体３の上面開口２を開閉する脱着可能な断熱二重構造の蓋体４とを備えている。
【００１９】
容器本体３は、図１ないし図３に示すように、ステンレス製の外容器６とステンレス製の内容器７との間に断熱材８が配設された断熱二重構造となっている。また、容器本体３の全体は、内部に食品が収容される上面開口状の有底四角筒形状（角型形状）に形成されている。
【００２０】
そして、容器本体３の底面部（下面部）の周縁位置には、比較的幅広の帯状で略矩形環状の環状凸部１１がプレス成形により一体に形成されている。この環状凸部１１は、容器本体３の補強のためのもので、容器本体３の脚部も兼ねている。
【００２１】
また、この容器本体３の環状凸部１１には、底面部を上にして容器本体３を洗浄装置（図示せず）で洗浄する際に環状凸部１１の内側に水が溜まらないようにするための複数、例えば４つの比較的幅細（狭巾）の水切溝１２が形成されている。
【００２２】
すなわち、容器本体３の環状凸部１１の４つの直線状部分（相対する２つの長辺直線状部分１３ａおよび相対する２つの短辺直線状部分１３ｂ）１３の各々の略中央位置には、直線状の溝方向（図示イ方向）が直線状部分１３の直線方向に対して傾斜した１本の水切溝１２が、直線状部分１３の幅方向一端から他端にわたって形成されている。なお、長辺直線状部分１３ａの水切溝１２と、短辺直線状部分１３ｂの水切溝１２とは、互いに平行状であるが、一直線上に位置していない。
【００２３】
また、これらの各水切溝１２は、容器本体３を所定状態にして搬送方向（図示ロ方向）に搬送する際にローラコンベヤ１６のローラ１７の上端がその水切溝１２内に入り込まないように形成されている。
【００２４】
すなわち、容器本体３をその底面部を下にしかつその側面部（取手２１のある側面部または取手２１のない側面部）を搬送方向下流に向けた所定状態として搬送方向（図示ロ方向）に搬送する際に、直線型のローラコンベヤ１６のローラ１７の上端が水切溝１２内に入り込まないように、各水切溝１２は、所定の溝幅寸法をもって、環状凸部１１の直線状部分１３にこの直線状部分１３の直線方向に対して傾斜状に形成されている。
【００２５】
なお、環状凸部１１の直線状部分１３に対して直交する側面方向から水切溝１２をみた場合、環状凸部１１における水切溝１２の一端に臨んだ部分１８と環状凸部１１における水切溝１２の他端に臨んだ部分１９とが、水切溝１２の傾斜度合および水切溝１２の幅から互いに重なり合うようになっている。
【００２６】
また一方、容器本体３の側面部の上下方向略中央位置には、上面開口２が開いた状態の容器本体３同士の積み重ねを可能とするための段部２０が折曲げにより一体に形成されている。
【００２７】
また、容器本体３の相対する側面部外面の上部位置には、一対の取手２１が設けられているとともに、蓋体４を容器本体３の上面開口２に臨んだ上端部に固定するための一対の引掛体２２が設けられている。
【００２８】
蓋体４は、容器本体３の上面開口２に臨んだ上端部に対して脱着可能なもので、図１、図４および図５に示すように、上記容器本体３と同様、ステンレス製の外蓋２６とステンレス製の内蓋２７との間に断熱材２８が配設された断熱二重構造となっている。また、蓋体４の全体は、容器本体３の上面開口２に対応した略矩形の板形状に形成されている。
【００２９】
そして、蓋体４の上面部の中央近傍位置には、蓋体４の補強のためのものであって、容器本体３の環状凸部１１の内側に嵌合可能な形状の環状凸部３１が形成されている。すなわち、蓋体４の上面部の中央近傍位置には、容器本体３の環状凸部１１と略同じ幅寸法および高さ寸法を有する比較的幅広の帯状で略矩形環状の環状凸部３１がプレス成形により一体に形成されている。
【００３０】
また、この蓋体４の環状凸部３１には、上記容器本体３の環状凸部１１と同様、上面部を上にして蓋体４を洗浄装置（図示せず）で洗浄する際に環状凸部３１の内側に水が溜まらないようにするための複数、例えば４つの比較的幅細（狭巾）の水切溝３２が形成されている。
【００３１】
すなわち、蓋体４の環状凸部３１の４つの直線状部分（相対する２つの長辺直線状部分３３ａおよび相対する２つの短辺直線状部分３３ｂ）３３の各々の略中央位置には、直線状の溝方向（図示イ方向）が直線状部分の直線方向に対して傾斜した１本の水切溝３２が、直線状部分３３の幅方向一端から他端にわたって形成されている。なお、長辺直線状部分３３ａの水切溝３２と、短辺直線状部分３３ｂの水切溝３２とは、互いに平行状であるが、一直線上に位置していない。
【００３２】
また、これらの各水切溝３２は、蓋体４を所定状態にして搬送方向（図示ロ方向）に搬送する際にローラコンベヤ１６のローラ１７の上端がその水切溝３２内に入り込まないように形成されている。
【００３３】
すなわち、蓋体４をその上面部を下にしかつその側面部（引掛受け体４２のある側面部または引掛受け体４２のない側面部）を搬送方向下流に向けた所定状態として搬送方向（図示ロ方向）に搬送する際に、直線型のローラコンベヤ１６のローラ１７の上端が水切溝３２内に入り込まないように、各水切溝３２は、所定の溝幅寸法をもって、環状凸部３１の直線状部分３３にこの直線状部分３３の直線方向に対して傾斜状に形成されている。
【００３４】
なお、環状凸部３１の直線状部分３３に対して直交する側面方向から水切溝をみた場合、環状凸部３１における水切溝３２の一端に臨んだ部分３８と環状凸部３１における水切溝３２の他端に臨んだ部分３９とが、水切溝３２の傾斜度合および水切溝３２の幅から互いに重なり合うようになっている。
【００３５】
また、蓋体４の下面部の中央位置には、蓋体４の補強のためのものであって、蓋体４の環状凸部３１の内側に嵌合可能な形状、例えば略矩形状の凸部４０がプレス成形により一体に形成されている。この凸部４０の高さ寸法は、環状凸部１１，３１の高さ寸法と略同じである。
【００３６】
さらに、蓋体４の下面部の周縁位置には、略矩形環状の脚凸部４１がプレス成形により一体に形成されている。この脚凸部４１の高さ寸法は、同じ面の中央側の凸部４０の高さ寸法よりやや高くなっている。
【００３７】
また一方、蓋体４の側面部には、容器本体３への蓋体４の取付け時に引掛体２２を引掛ける一対の引掛受け体４２が設けられている。
【００３８】
そして、図６に示すように、蓋体４にて容器本体３の上面開口２が閉じられた状態の断熱容器１同士が例えば２つ積み重ねられる場合には、上段の断熱容器（一の断熱容器）１の容器本体３の底面部の環状凸部１１の内側に下段の断熱容器（他の断熱容器）１の蓋体４の上面部の環状凸部３１が嵌め合わされ、環状凸部１１の下面が蓋体４のうち環状凸部３１がない部分の上面に面接触しかつ環状凸部３１の上面が容器本体３のうち環状凸部１１がない部分の底面に面接触する。このため、断熱容器１同士の積み重ね状態は安定し、がたつきが生じるようなこともない。
【００３９】
また、図７に示すように、容器本体３の上端部から取り外された状態の蓋体４同士が例えば２つ積み重ねられる場合には、下段の蓋体（一の蓋体）４の上面部の環状凸部３１の内側に上段の蓋体（他の蓋体）４の下面部の凸部４０が嵌め合わされ、下段の蓋体４の環状凸部３１の上面が上段の蓋体４のうち凸部４０および脚凸部４１がない部分の下面に面接触しかつ上段の蓋体４の脚凸部４１の下面が下段の蓋体４のうち環状凸部３１がない部分の上面に面接触する。このため、蓋体４同士の積み重ね状態は安定し、がたつきが生じるようなこともない。
【００４０】
さらに、図８に示すように、上面開口２が開いた状態の容器本体３同士を例えば２つ積み重ねる際には、下段の容器本体３の段部２０近傍まで上段の容器本体３が入り込む。
【００４１】
そして、４３は、容器本体３の外側面の段部２０に突出している突部（６ヶ所）で、容器本体３同士を積み重ねた時、上段の容器本体３の突部４３が下段の容器本体３の上面開口２部分に載り、相方間に間隙を有して積み重ねられるようにしている。
【００４２】
また、図１に示すように、蓋体４にて容器本体３の上面開口２が閉じられた状態の断熱容器１をローラコンベヤ１６にて載置搬送する際には、例えば容器本体３の底面部を下にしかつ取手２１のある側面部を搬送方向下流に向けた状態として容器本体３をローラ１７上に載置し、環状凸部１１とローラ１７とを常に接触させたまま、断熱容器１をローラ１７にて搬送方向に移動させる。
【００４３】
このローラコンベヤ１６による搬送の際に、ローラコンベヤ１６のローラ１７の上端が容器本体３の底面部の水切溝１２内に入り込むようなことがなく、容器本体３はがたつきなくスムーズに搬送される。なお、上面部を下にしかつ引掛受け体４２のある側面部を搬送方向下流に向けて蓋体４のみをローラコンベヤ１６にて載置搬送する場合も同様で、ローラコンベヤ１６のローラ１７の上端が蓋体４の上面部の水切溝３２内に入り込むようなことがなく、蓋体４ががたつきなくスムーズに搬送される。
【００４４】
このように、上記断熱容器１によれば、蓋体４にて容器本体３の上面開口２が閉じられた状態の断熱容器１同士が積み重ねられる場合には、上段の断熱容器１の容器本体３の環状凸部１１の内側に下段の断熱容器１の蓋体４の環状凸部３１が嵌め合わされ、また、容器本体３から取り外された状態の蓋体４同士が積み重ねられる場合には、下段の蓋体４の環状凸部３１の内側に上段の蓋体４の凸部４０が嵌め合わされるため、それぞれの場合において積み重ね状態の安定化を図ることができる。すなわち、ストッキング性の向上を図れる。
【００４５】
また、容器本体３の環状凸部１１および蓋体４の環状凸部３１の各々には、水切溝１２，３２が形成されているため、洗浄装置による洗浄時等に、環状凸部１１，３１の内側に水が溜まるようなことがない。
【００４６】
さらに、水切溝１２，３２が環状凸部１１の数ヶ所において狭巾かつ斜めに横断するように形成されているため、ローラコンベヤ１６による搬送の際のがたつきを適切に防止でき、容器本体３および蓋体４をスムーズに搬送でき、例えば容器本体３内から食品がこぼれるのを適切に防止できる。
【００４７】
なお、断熱容器１は、有底四角筒形状の容器本体３を備えた角型のものには限定されず、例えば、図示しないが、有底円筒形状の容器本体を備えた円筒型のもの等でもよい。
【００４８】
また、容器本体３の環状凸部１１は、水切溝１２が複数形成された略環状のものには限定されず、例えば、図示しないが、水切溝が形成されていない環状のもの等でもよい。
【００４９】
さらに、水切溝１２，３２の深さ寸法は、環状凸部１１，３１の高さ寸法と略同じにしてもよく、環状凸部１１，３１の高さ寸法より小さくしてもよい。
【００５０】
【発明の効果】
請求項１の発明によれば、蓋体にて容器本体の上面開口が閉じられた状態の断熱容器同士が積み重ねられる場合には、一の断熱容器の容器本体の環状凸部の内側に他の断熱容器の蓋体の環状凸部が嵌め合わされ、容器本体から取り外された状態の蓋体同士が積み重ねられる場合には、一の蓋体の環状凸部の内側に他の蓋体の凸部が嵌め合わされるため、積み重ね状態の安定化を図ることができる。
【００５１】
請求項２の発明によれば、容器本体の環状凸部には、この環状凸部の内側に水が溜まらないようにするための水切溝が形成されているため、洗浄時等に容器本体の環状凸部の内側に水が溜まるようなことがない。
【００５２】
請求項３の発明によれば、水切溝が環状凸部の数ヶ所において狭巾かつ斜めに横断するように形成されているため、ローラコンベヤによる搬送の際のがたつきを適切に防止できる。
【００５３】
請求項４の発明によれば、蓋体の環状凸部には、この環状凸部の内側に水が溜まらないようにするための水切溝が形成されているため、洗浄時等に蓋体の環状凸部の内側に水が溜まるようなことがない。
【００５４】
請求項５の発明によれば、水切溝が環状凸部の数ヶ所において狭巾かつ斜めに横断するように形成されているため、ローラコンベヤによる搬送の際のがたつきを適切に防止できる。
【図面の簡単な説明】
【図１】本発明の断熱容器の一実施の形態を示す断面図である。
【図２】同上断熱容器の容器本体の上面図である。
【図３】同上断熱容器の容器本体の底面図である。
【図４】同上断熱容器の蓋体の上面図である。
【図５】同上断熱容器の蓋体の底面図である。
【図６】同上断熱容器同士を積み重ねた状態の断面図である。
【図７】同上蓋体同士を積み重ねた状態の断面図である。
【図８】同上容器本体同士を積み重ねた状態の断面図である。
【符号の説明】
１    断熱容器
２    上面開口
３    容器本体
４    蓋体
１１    環状凸部
１２    水切溝
３１    環状凸部
３２    水切溝
４０    凸部
【図１】
2004337518.tif 000003
【図２】
2004337518.tif 000004
【図３】
2004337518.tif 000005
【図４】
2004337518.tif 000006
【図５】
2004337518.tif 000007
【図６】
2004337518.tif 000008
【図７】
2004337518.tif 000009
【図８】
2004337518.tif 000010